(57)【特許請求の範囲】
【請求項１】
一部又は全部を患部又は患部の近傍に押圧又は圧接させるサポータ本体と、サポータ本体から特定方向に突出させ、患部を含む首、手足又は体幹に巻きつけてサポータ本体を患部又は患部の近傍に位置固定させる締め付けベルトとから構成されるサポータにおいて、
サポータ本体は、内面に面ファスナーの雄面又は雌面を有する外側第１接続部と、外面に面ファスナーの雄面又は雌面を有する内側第１接続部とを、接合縁を介して接続した蝶番構造で設け、
締め付けベルトは、外側第１接続部の面ファスナーの雄面又は雌面に掛合する面ファスナーの雄面又は雌面を外面に有し、内側第１接続部の雄面又は雌面に掛合する面ファスナーの雄面又は雌面を内面に有する第２接続部を設け、
第２接続部を外側第１接続部及び内側第１接続部で挟んで面ファスナーを掛合解除させることによりサポータ本体に対して締め付けベルトを接続分離自在としたことを特徴とするサポータ。
【発明の詳細な説明】
【技術分野】
【０００１】
本発明は、一部又は全部を患部又は患部の近傍に押圧又は圧接させるサポータ本体と、サポータ本体から特定方向に突出させ、患部を含む首、手足又は体幹に巻きつけてサポータ本体を患部又は患部の近傍に位置固定させる締め付けベルトとから構成されるサポータに関する。
【０００２】
本発明では、利用者の首、手足又は体幹に位置固定させたサポータ本体を正面に見て上下左右を特定し、サポータ本体又は締め付けベルトの利用者に近い側の面を内面、利用者から遠い側の面を外面とする。
【背景技術】
【０００３】
一部又は全部を患部又は患部の近傍に押圧又は圧接させるサポータ本体と、サポータ本体から特定方向に突出させ、患部を含む首、手足又は体幹に巻きつけてサポータ本体を患部又は患部の近傍に位置固定させる締め付けベルトとから構成されるサポータは、例えば腰痛による痛みを緩和する目的で利用者の腰を締め付ける腰用サポータがある（特許文献１参照）。腰用サポータの場合、サポータ本体は、腰に添わせて利用者の姿勢を整えるベルト部分であり、締め付けベルトは、サポータ本体の両側から左右方向それぞれに突出して腹にかけて掛け回すベルト部分で、腹の前面で面ファスナーにより掛合する構成が多い。
【０００４】
特許文献１が開示する腰用サポータ（本体ベルト）は、サポータ本体（左右中央部）と左右の締め付けベルト（左端部及び右端部）とからなり、補助ベルトを着脱自在としている（特許文献１・［0016］〜［0018］）。特許文献１が開示する腰用サポータは、サポータ本体と左右の締め付けベルトとが一体で、分離不能である（特許文献１・［0022］）。左右の締め付けベルトは、面ファスナーを固定手段とし、一方の外面に雌面、内側を雄面とする端部パッドを他方の内面に取り付け、利用者の腹の前面で他方の端部パッドを一方の外面に係合させて、利用者の腰に巻き付けた状態を維持する（特許文献１・［0023］）。
【先行技術文献】
【特許文献】
【０００５】
【特許文献１】特開2017-170003号公報
【発明の概要】
【発明が解決しようとする課題】
【０００６】
サポータは、同じ患部に対して用いるものでも、目的や締付具合に応じて多くの仕様が存在する。これは、１つの仕様のサポータだけでは様々な目的や締付具合に対応できないからである。この点、特許文献１が開示する腰用サポータは、補助ベルトの交換により多くの目的に対応しようとするが、サポータ本体が変わらないことから、腰に対するサポータ本体の当たり具合に変化がなく、様々な目的や締付具合に十分対応できていない。腰用サポータのサポータ本体は、症状の変化に応じて、硬さや幅（上下方向の長さ）、外形を変えることが望まれる。このとき、左右の締め付けベルトを含めてサポータ本体まで交換することは、交換の度にサポータ１個分の費用が必要となり、好ましくない。
【０００７】
また、特許文献１が開示する腰用サポータは、サポータ本体と左右の締め付けベルトとが分離不能で、締め付けベルトが劣化すると、サポータ本体に支障がなくても全体を交換しなければならなかった。サポータ本体は、接続分離を繰り返して劣化する左右の締め付けベルトに比べて劣化しにくいことから、劣化した左右の締め付けベルトのみ交換しつつ、そのまま継続使用できることが望ましい。加えて、上述同様、左右の締め付けベルトを含めてサポータ全体を交換することは、交換の度にサポータ１個分の費用が必要となり、好ましくない。
【０００８】
このように、サポータ本体と締め付けベルトとを一体的に交換することによる費用増の問題は、腰用サポータに限らず、首用サポータ、肩用サポータ、胸用サポータ、肘用サポータ、膝用サポータ、足首用サポータ等、様々なサポータに共通する問題であった。確かに、特許文献１が開示する腰用サポータのように、目的や締付具合に応じて、補助ベルトを交換して対応できる場合もあるが、補助ベルトだけでは不十分で、また補助ベルトが使用できないサポータがあればなんら解決策にならない。そこで、サポータ本体と締め付けベルトとから構成される様々なサポータにおいて、サポータ本体と締め付けベルトとをそれぞれ個別に交換可能にすることを目的として検討した。
【課題を解決するための手段】
【０００９】
検討の結果開発したものが、一部又は全部を患部又は患部の近傍に押圧又は圧接させるサポータ本体と、サポータ本体から特定方向に突出させ、患部を含む首、手足又は体幹に巻きつけてサポータ本体を患部又は患部の近傍に位置固定させる締め付けベルトとから構成されるサポータにおいて、サポータ本体に対して締め付けベルトを接続分離自在としたことを特徴とするサポータである。本発明のサポータは、腰用サポータを初めとして、首用サポータ、肩用サポータ、胸用サポータ、肘用サポータ、膝用サポータ、足首用サポータ等、利用者の首、手足又は体幹の患部又は患部の近傍に締め付けベルトを巻きつけて患部又は患部の近傍にサポータ本体を位置固定する様々なサポータが含まれる。
【００１０】
サポータ本体は、患部又は患部の近傍に一部又は全部を押圧又は圧接させるもので、多くが可撓性を有する平面部材で、患部又は患部の近傍に一部又は全部を押圧又は圧接させるために一部又は全部に伸縮性生地が使用されたり、保形性を高める観点から部分的に長尺な弾性部材が内蔵されたりする。例えば腰用サポータのサポータ本体は、利用者の腰に全部が圧接し、腰の動きを抑制すると共に腰を整形して痛みを緩和させる。また肘用サポータのサポータ本体は、部分的に突出した押圧部を有し、押圧部を肘の腱に押圧させて痛みを緩和させる。
【００１１】
締め付けベルトは、サポータ本体の表面や端縁から１本又は複数本突出させて首、手足又は体幹にそれぞれ巻きつけ、サポータ本体を患部又は患部の近傍に位置固定させるもので、一定の長さで可撓性を有するベルト部材である。サポータの種類によって、締め付けベルトは、サポータ本体同様の働きを有したり、締め付けベルト固有の働きを有したり、サポータ本体と相まって発揮される独特の働きを雄したりする。サポータ本体を患部又は患部の近傍に一部又は全部を押圧又は圧接させるため、締め付けベルトの一部又は全部に伸縮性生地が使用されることがある。例えば腰用サポータの締め付けベルトは、サポータ本体の両側から左右方向それぞれに突出して腹にかけ掛け回す。腹の前面で付き合わせた左右の締め付けベルトは、固定手段により巻きつけた状態を維持する。また肘用サポータの締め付けベルトは、腕に当てたサポータ本体の上から巻き付け、固定手段により巻きつけた状態を維持する。
【００１２】
締め付けベルトの固定手段は、従来公知の各種手段（ボタン及びボタン穴、フック及びフック受け、スライドファスナー、面ファスナー等）が利用される。本発明の締め付けベルトに好適な固定手段は、面ファスナーである。固定手段を面ファスナーとした場合、例えば締め付けベルトの一端の内側に雄面、締め付けベルトの外面に雌面を割り当て、首、手足又は体幹に巻き付けた締め付けベルトの一端を外面に掛合させて、巻き付けた状態を維持する。また、締め付けベルトの一端に面ファスナーの雄面、サポータ本体の外面に雌面を割り当て、首、手足又は体幹に巻き付けた締め付けベルトの一端をサポータ本体の外面に掛合させて、巻き付けた状態を維持してもよい。
【００１３】
本発明のサポータは、サポータ本体と締め付けベルトとを接続分離自在とする。サポータ本体と接続分離する締め付けベルトは、サポータ本体と締め付けベルトとを接続分離する構成のほか、サポータ本体に近い位置で締め付けベルトを接続分離する構成も含む。締め付けベルトの接続分離手段は、締め付けベルトの固定手段と同じ従来公知の各種手段が利用できるが、面ファスナーが好適である。この場合、サポータ本体は、面ファスナーの雄面又は雌面を有する第１接続部を設け、締め付けベルトは、第１接続部の面ファスナーの雄面又は雌面に掛合する面ファスナーの雄面又は雌面を有する第２接続部を設け、第１接続部を第２接続部に接面させて面ファスナーを掛合解除させることによりサポータ本体と締め付けベルトとを接続分離自在にした構成にする。
【００１４】
第１接続部は、サポータ本体の外面の一部又は全部に設けた面ファスナーの雄面又は雌面から構成してもよいし、サポータ本体の外面に取り付けた傾倒自在な板状部材の外面又は内面の一部又は全部に面ファスナーの雄面又は雌面を設けて構成してもよい。同様に、第２接続部は、締め付けベルトの内面の一部又は全部に設けた面ファスナーの雄面又は雌面から構成してもよいし、締め付けベルトの外面又は内面に取り付けた傾倒自在な板状部材の外面又は内面の一部又は全部に面ファスナーの雄面又は雌面を設けて構成してもよい。第１接続部及び第２接続部それぞれの面ファスナーの雄面又は雌面の大きさは、同じであることを基本とするが、どちらかが相対的に大きくても構わない。
【００１５】
より具体的には、サポータ本体は、内面に面ファスナーの雄面又は雌面を有する外側第１接続部と、外面に面ファスナーの雄面又は雌面を有する内側第１接続部とを、接合縁を介して接続した蝶番構造で設け、締め付けベルトは、外側第１接続部の面ファスナーの雄面又は雌面に掛合する面ファスナーの雄面又は雌面を外面に有し、内側第１接続部の雄面又は雌面に掛合する面ファスナーの雄面又は雌面を内面に有する第２接続部を設け、第２接続部を外側第１接続部及び内側第１接続部で挟んで面ファスナーを掛合解除させることによりサポータ本体と締め付けベルトとを接続分離自在にした構成がよい。接合縁は、外側第１接続部と内側第１接続部とのヒンジ軸となる縁部で、締め付けベルトの第２接続部の端縁が当接する。
【００１６】
外側第１接続部の内面と内側第１接続部の外面とに設けられる面ファスナーの雄面又は雌面は、同じものでも異なるものでもよく、また大きさが同じでも異なってもよい。第２接続部の外面に設けられる面ファスナーの雄面又は雌面は、外側第１接続部の内面に設けられる面ファスナーの雄面又は雌面に応じて大きさが決定される。同様に、第２接続部の内面に設けられる面ファスナーの雄面又は雌面は、内側第１接続部の外面に設けられる面ファスナーの雄面又は雌面に応じて大きさが決定される。このため、第２接続部の外面及び内面の面ファスナーの雄面又は雌面は、種類が同じだったり、異なっていたり、大きさも同じだったり、違っていたりする。
【発明の効果】
【００１７】
本発明により、サポータ本体と締め付けベルトとをそれぞれ個別に交換可能にしたサポータが提供できる。これは、サポータ本体に対して締め付けベルトを接続分離自在にしたことによる効果である。そして、第１接続部及び第２接続部の面ファスナーによる接続分離手段は、サポータ本体と締め付けベルトとの接続分離を容易にしながら、サポータ本体と締め付けベルトとの必要な接続強度を実現し、利用者の患部又は患部の近傍に不要な圧迫感を与えず、良好な装着感保つことができる。
【００１８】
蝶番構造の外側第１接続部及び内側第１接続部と第２接続部との面ファスナーによる接続分離手段は、サポータ本体と締め付けベルトとの接続強度を高める。特に、外側第１接続部及び第２接続部の面ファスナーと、内側第１接続部及び第２接続部の面ファスナー とは、互いが掛合解除を抑制し合う関係にあり、一方が勝手に分離してしまうことを防ぎ、安定したサポータ本体と締め付けベルトとの接合を実現する。これは、サポータの仕様中にサポータ本体から締め付けベルトが分離する不安感を払拭する効果がある。
【００１９】
また、蝶番構造の外側第１接続部及び内側第１接続部と第２接続部との面ファスナーによる接続分離手段は、外側第１接続部及び内側第１接続部の接合縁と第２接続部の端縁の形状とを同じにし、接合縁に第２接続部の端縁を突き当てることで、サポータ本体に対する締め付けベルトの位置合わせを容易にする。この場合、第２接続部の端縁を切除して、角度を変えた端縁を接合縁に突き当てることにより、サポータ本体に対する締め付けベルトの突出方向を正確に変更できる利点も得られる。
【図面の簡単な説明】
【００２０】
【図１】本発明を適用した腰用サポータの例（例１）を表す斜視図である。
【図２】例１の腰用サポータを外面側から見た正面図である。
【図３】例１の腰用サポータを内面側から見た背面図である。
【図４】例１の本体ベルトと締め付けベルトとの接続関係を表す正面図である。
【図５】例１の本体ベルトと締め付けベルトとの分離状態を表す部分拡大平面図である。
【図６】例１の本体ベルトと締め付けベルトとの接続状態を表す部分拡大平面図である。
【図７】補助ベルトを追加した例１の腰用サポータの正面図である。
【図８】本体ベルトを交換した例１の腰用サポータの正面図である。
【図９】締め付けベルトを交換した例１の腰用サポータの正面図である。
【図１０】締め付けベルトを斜めに切断した例１の腰用サポータの正面図である。
【図１１】例２の首用サポータを表す斜視図である。
【図１２】例３の肩用サポータを表す斜視図である。
【図１３】例４の胸用サポータを表す斜視図である。
【図１４】例５の肘用サポータを表す斜視図である。
【図１５】例６の膝用サポータを表す斜視図である。
【図１６】例７の足首用サポータを表す斜視図である。
【発明を実施するための形態】
【００２１】
以下、本発明を実施するための形態について図を参照しながら説明する。本発明は、図１〜図３に見られるように、例１として腰用サポータ１に適用される。例１の腰用サポータ１は、全体として従来同様の構成で、利用者８の腰811（体幹81の背面側下部、患部）に全部が圧接し、腰811の動きを抑制すると共に腰811を整形して痛みを緩和させる横長の平板状のサポータ本体11と、サポータ本体11の左右両端からそれぞれ左右方向に突出し、利用者８の腹812（患部の近傍）に掛け回して掛合される一対の締め付けベルト12とから構成され、サポータ本体11に対して締め付けベルト12が接続分離自在になっている。
【００２２】
例１のサポータ本体11は、左右方向に三等分された中央部が長方形で、左右側部が端縁に向けて徐変に狭くなる台形である外形で、中央部と左右側部それぞれとの境界それぞれに、細長い弾性補強材116が上下方向に内蔵されている。中央部及び左右側部は、腰811に倣って湾曲する可撓性を有すれば、伸縮性又は非伸縮性を問わない。弾性補強材116は、弾性を備えた合成樹脂板、例えばポリエチレン製板材で構成され、サポータ本体11の保形姓を担う。また、サポータ本体11の中央部は、補助ベルト13（後掲図７参照）を着脱自在に取り付けるため、外面に面ファスナーの雌面117を設けている。
【００２３】
サポータ本体11の左右側部は、それぞれの左右縁部に沿って上下方向に延びる接合縁115により、蝶番構造で接続された外側第１接続部111及び内側第１接続部113を設けている。外側第１接続部111は、外形が相似で外周に少しの隙間を残した大きさの面ファスナーの雄面112を内面に設けている。また、内側第１接続部113は、外形が相似で外周に少しの隙間を残した大きさの面ファスナーの雄面114を外面に設けている。このように、外側第１接続部111の面ファスナーの雄面112と内側第１接続部113の面ファスナーの雄面114とは、対向位置関係にあるが、同じ雄面同士なので係合することはない。
【００２４】
例１の締め付けベルト12は、左右一対の２本あり、それぞれがサポータ本体11に接続する側の半分が広幅で、残り半分が狭幅である横長の外形で、外面は全体が面ファスナーの雌面122、内面は広幅の範囲で面ファスナーの雌面123を設けている。締め付けベルト12は、腰811から腹812に沿って湾曲する可撓性を有すれば、伸縮性又は非伸縮性を問わない。第２接続部121は、内面の面ファスナーの雌面123の範囲である。例１の腰用サポータ１は、外面側から見て右側の締め付けベルト12の端部内面に、利用者８の腹812に掛け回して締め付けベルト12同士を掛合する面ファスナーの雄面126が取り付けられている。
【００２５】
締め付けベルト12は、図４及び図５に見られるように、外側第１接続部111及び内側第１接続部113を開いた状態で、例えば第２接続部121の内面にある面ファスナー の雌面123を内側第１接続部113の外面にある面ファスナーの雄面114に係合させ、外側第１接続部111を閉じて第２接続部121の外面にある面ファスナー の雌面122を外側第１接続部111の内面にある面ファスナーの雄面112に係合させることにより、図６に見られるように、外側第１接続部111及び内側第１接続部113で第２接続部121を挟む形で、サポータ本体11に接続される。
【００２６】
本例の外側第１接続部111及び内側第１接続部113は、上下方向に延びる縫着線から形成される直線状の接合縁115により、蝶番構造で接続されている。これに対し、締め付けベルト12は、サポータ本体12から突出する方向に直交する端縁124を有し、接合縁115に前記端縁124を当接させることで、サポータ本体11に対する位置関係を特定し、左右対称にサポータ本体11に接続できる。サポータ本体11に対する締め付けベルト12の位置関係が特定できると、外側第１接続部111及び内側第１接続部113と第２接続部121との重なり合いも最大化され、面ファスナーによる掛合強度も必要十分な程度まで高められる利点がある。
【００２７】
例１の腰用サポータ１は、図７に見られるように、サポータ本体11の中央部外面の面ファスナーの雌面117と、左右の締め付けベルト12の外面の面ファスナーの雌面122とに掛け渡して補助ベルト13を取り付け、利用者８の腰811に対する締め付け具合を強くできる。補助ベルト13は、一定幅の伸縮ベルトを辺とする横長の菱形状で、左右端の内面それぞれに面ファスナーの雄面131、上下端の内面それぞれに面ファスナーの雄面132を設け、サポータ本体11の中央部外面の面ファスナーの雌面117や左右の締め付けベルト12の外面の面ファスナーの雌面122にそれぞれ着脱自在に掛合させる。
【００２８】
例１の腰用サポータ１は、サポータ本体11と締め付けベルト12とを接続分離自在にしているので、それぞれを別仕様に交換できる。例えば例１の腰用サポータ１は、図８に見られるように、利用者８の腰811に広くあてがわれる大型のサポータ本体14に交換できる。大型のサポータ本体14は、左右の弾性補強材146に挟まれた中央部が上下方向に大きくなっているほか、基本のサポータ本体11（図２参照）と構造に変わりがなく、中央部の外面には補助ベルト13を取り付けるための面ファスナーの雌面147が設けられている。また、締め付けベルト12を接続する外側第１接続部141及び内側第１接続部（図示略）は、直線状の接合縁145を介して蝶番構造で接続されている。
【００２９】
また、例１の腰用サポータ１は、図９に見られるように、サポータ本体11に接続する側の半分が狭幅で、残り半分が広幅である横長の外形である締め付けベルト15に交換できる。広幅の締め付けベルト15は、利用者８の腰812に広く接面して締め付け具合を和らげる。広幅の締め付けベルト15は、基本の締め付けベルト12（図２参照）と構造に変わりがなく、外面全体に面ファスナーの雌面152、サポータ本体11に接続する側の半分の範囲の内面に面ファスナーの雌面153を設け、前記面ファスナーの雌面153の範囲を第２接続部151とし、サポータ本体11から突出する方向に直交する端縁154を、サポータ本体11の直線状の接合縁115に当接させてサポータ本体11に接続する。また、外面側から見て右側の締め付けベルト15は、締め付けベルト12同士を掛合する面ファスナーの雄面156が端部内面に取り付けられている。
【００３０】
例１の腰用サポータ１は、図10に見られるように、内面の面ファスナーの雌面123の範囲内で第２接続部121を切除することにより、サポータ本体11から突出する方向に斜交する端縁125を締め付けベルト12に形成して、サポータ本体11から締め付けベルト12が斜めに突出する構成に調整できる。利用者８が女性の場合、腰回りが錐台状となることから、腰用サポータ１は、サポータ本体11から締め付けベルト12が斜めに突出する方が体感81に倣って巻きつけやすく、締め付けた締め付けベルト12による装着安定性が向上する。このように、本発明のサポータは、利用者８個々に合わせて装着具合を調整できる利点を有する。
【００３１】
締め付けベルト12は、サポータ本体11から突出する方向に斜交させた端縁125を接合縁115に当接させ、サポータ本体11に対する位置関係を特定し、左右対称にサポータ本体11に接続できる。サポータ本体11に対する締め付けベルト12の位置関係が特定できると、外側第１接続部111及び内側第１接続部113と第２接続部121との重なり合いも最大化され、面ファスナーによる掛合強度も必要十分な程度が確保される。例１の締め付けベルト12は、第２接続部121の内面の面ファスナーの雌面123の範囲内で、端縁125を自由に整形でき、サポータ本体11に対する突出方向の角度を自由に設定できる。
【００３２】
本発明は、一部又は全部を患部又は患部の近傍に押圧又は圧接させるサポータ本体と、サポータ本体から特定方向に突出させて患部を含む首、手足又は体幹に巻きつける締め付けベルトとから構成されるサポータであれば、適用できる。具体的には、例１に挙げた腰用サポータ１のほか、サポータとして代表的な首用サポータ２（図11）、肩用サポータ３（図12）、胸用サポータ４（図13）、肘用サポータ５（図14）、膝用サポータ６（図15）、そして足首用サポータ７（図16）にも本発明が適用される。
【００３３】
例２の首用サポータ２は、図11に見られるように、例えば鞭打ちで痛めた利用者８の首82の背面（患部）に全部が圧接し、首82の動きを抑制して痛みを緩和させる横長の平板のサポータ本体21と、サポータ本体21の左右両端からそれぞれ左右方向に突出し、利用者８の首82の前面（患部の近傍）に掛け回して掛合される一対の締め付けベルト22とから構成され、サポータ本体21に対して締め付けベルト22が接続分離自在になっている。
【００３４】
サポータ本体21は、接合縁215を介した蝶番構造の外側第１接続部211及び内側第１接続部213を左右端縁それぞれに設けている。外側第１接続部211は内面に、内側第１接続部213は外面に、それぞれ面ファスナーの雄面を設けている（図示略）。締め付けベルト22は、内外全部を面ファスナーの雌面として全体が第２接続部221を構成している。例２の首用サポータ２は、正面側から見て左側（図11中左側）の締め付けベルト22に、締め付けベルト22同士を掛合する面ファスナーの雄面226が取り付けられている。
【００３５】
例３の肩用サポータ３は、図12に見られるように、肩関節周囲炎（いわゆる「五十肩」）で痛めた利用者８の肩814（患部）を上方から包み込む腕部分と、脇の下に当てられる胸部分とが一体となり、肩814の動きを制限する袋状のサポータ本体31と、サポータ本体31の腕部分の前後からそれぞれ下方向に突出し、利用者８の腕83（患部の近傍）に掛け回して掛合される一対の締め付けベルト32と、サポータ本体31の胸部分の右方向に突出し、利用者８の胸813（患部の近傍）に掛け回して掛合される一対の締め付けベルト32とから構成され、サポータ本体31に対して締め付けベルト32が接続分離自在になっている。
【００３６】
サポータ本体31は、接合縁315を介した蝶番構造の外側第１接続部311及び内側第１接続部313を、腕部分及び胸部分の前面側及び背面側それぞれに設けている（背面側は図示略）。外側第１接続部211は内面に、内側第１接続部213は外面に、それぞれ面ファスナーの雄面を設けている（図示略）。締め付けベルト32は、内外全部を面ファスナーの雌面として全体が第２接続部321を構成している。例３の肩用サポータ３は、正面側（図12中手前側）に位置する着脱自在な締め付けベルト32に、背面側の締め付けベルト32に掛合する面ファスナーの雄面326が取り付けられている。
【００３７】
例４の胸用サポータ４は、図13に見られるように、例えば肋骨を骨折した利用者８の胸813の側面（例えば左脇下）に全部が圧接する横長のベルト状のサポータ本体41と、サポータ本体41の左右両端からそれぞれ左右方向に突出し、利用者８の胸813の側面（例えば右脇下）に掛け回して掛合される一対の締め付けベルト42とから構成され、サポータ本体41に対して締め付けベルト42が接続分離自在になっている。胸用サポータ４は、サポータ本体41と締め付けベルト42とが一体となって胸813を締め付け、圧迫により胸813の動作を制限する。
【００３８】
サポータ本体41は、接合縁415を介した蝶番構造の外側第１接続部411及び内側第１接続部413を左右端縁それぞれに設けている。外側第１接続部411は内面に、内側第１接続部413は外面に、それぞれ面ファスナーの雄面を設けている（図示略）。締め付けベルト42は、内外全部を面ファスナーの雌面として全体が第２接続部421を構成している。例４の胸用サポータ４は、正面側（図13中手前側）にある締め付けベルト42に、締め付けベルト42同士を掛合する面ファスナーの雄面426が取り付けられている。
【００３９】
例５の肘用サポータ５は、図14に見られるように、例えばテニス肘となった利用者８の腕83（前腕部）を差し込む筒状前腕部と下方から当てがわれる開放上腕部とを繋ぐ連結部を肘831（患部）の下方から当てて包み込み、連結部の全部又は一部（押圧突起等）を押圧させて肘831の動きを抑制して痛みを緩和させる袋状のサポータ本体51と、サポータ本体51の開放上腕部の前後からそれぞれ上方に突出し、利用者８の腕83（上腕部、患部の近傍）に掛け回して掛合される一対の締め付けベルト52とから構成され、サポータ本体51に対して締め付けベルト52が接続分離自在になっている。
【００４０】
サポータ本体51は、接合縁515を介した蝶番構造の外側第１接続部511及び内側第１接続部513を開放上腕部の前後縁部それぞれに設けている（背面側は図示略）。外側第１接続部511は内面に、内側第１接続部513は外面に、それぞれ面ファスナーの雄面を設けている（図示略）。締め付けベルト52は、内外全部を面ファスナーの雌面として全体が第２接続部521を構成している。例５の肘用サポータ５は、正面側から見て右側（図14中手前側）にある締め付けベルト52に、締め付けベルト52同士を掛合する面ファスナーの雄面526が取り付けられている。
【００４１】
例６の膝用サポータ６は、図15に見られるように、例えば変形性膝関節症で痛めた利用者８の脚84（下腿部）を差し込む筒状下腿部と前面側から当てがわれる開放大腿部とを繋ぐ連結部を、膝841（患部）に前面側から当てて包み込み、連結部の全部又は一部（押圧突起等）を押圧させて膝841の動きを抑制して痛みを緩和させる袋状のサポータ本体61と、サポータ本体61の開放大腿部の左右からそれぞれ背面側に突出し、利用者８の脚84（大腿部、患部の近傍）に掛け回して掛合される一対の締め付けベルト62とから構成され、サポータ本体61に対して締め付けベルト62が接続分離自在になっている。
【００４２】
サポータ本体61は、接合縁615を介した蝶番構造の外側第１接続部611及び内側第１接続部613を開放大腿部の左右縁部それぞれに設けている。外側第１接続部611は内面に、内側第１接続部613は外面に、それぞれ面ファスナーの雄面を設けている（図示略）。締め付けベルト62は、内外全部を面ファスナーの雌面として全体が第２接続部621を構成している。例６の膝用サポータ６は、正面側から見て右側（図15中手前側）の締め付けベルト62に、締め付けベルト62同士を掛合する面ファスナーの雄面626が取り付けられている。
【００４３】
例７の足首用サポータ７は、図16に見られるように、例えば捻挫で痛めた利用者８の足首842に背面側から当てがわれる開放足首部と、足843の腹に下方から当てがわれる開放足腹部とを左右側面で繋ぎ、足首842の動きを抑制して痛みを緩和させる袋状のサポータ本体61と、サポータ本体61の開放足首部及び開放足腹部それぞれの左右から前方又は上方に突出し、利用者８の足首842及び足843（患部の近傍）に掛け回して掛合される一対の締め付けベルト72とから構成され、サポータ本体71に対して締め付けベルト72が接続分離自在になっている。
【００４４】
サポータ本体71は、接合縁715を介した蝶番構造の外側第１接続部711及び内側第１接続部713を開放足首部及び開放足腹部の左右縁部それぞれに設けている。外側第１接続部711は内面に、内側第１接続部713は外面に、それぞれ面ファスナーの雄面を設けている（図示略）。締め付けベルト72は、内外全部を面ファスナーの雌面として全体が第２接続部721を構成している。例７の足首用サポータ７は、正面側から見て右側（図16中手前側）の締め付けベルト72に、締め付けベルト72同士を掛合する面ファスナーの雄面726が取り付けられている。
【符号の説明】
【００４５】
１  腰用サポータ
11  サポータ本体
111  外側第１接続部
112  面ファスナーの雄面
113  内側第１接続部
114  面ファスナーの雄面
115  接合縁
116  弾性補強材
117  面ファスナーの雌面
12  締め付けベルト
121  第２接続部
122  面ファスナーの雌面
123  面ファスナーの雌面
124  突出方向に直交する端縁
125  突出方向に斜交する端縁
126  面ファスナーの雄面
13  補助ベルト
131  面ファスナーの雄面
132  面ファスナーの雄面
14  サポータ本体
141  外側第１接続部
145  接合縁
146  弾性補強材
147  面ファスナーの雌面
15  締め付けベルト
151  第２接続部
152  面ファスナーの雌面
153  面ファスナーの雌面
154  突出方向に直交する端縁
156  面ファスナーの雄面
２  首用サポータ
21  サポータ本体
211  外側第１接続部
213  内側第１接続部
215  接合縁
22  締め付けベルト
221  第２接続部
226  面ファスナーの雄面
３  肩用サポータ
31  サポータ本体
311  外側第１接続部
313  内側第１接続部
315  接合縁
32  締め付けベルト
321  第２接続部
326  面ファスナーの雄面
４  胸用サポータ
41  サポータ本体
411  外側第１接続部
413  内側第１接続部
415  接合縁
42  締め付けベルト
421  第２接続部
426  面ファスナーの雄面
５  肘用サポータ
51  サポータ本体
511  外側第１接続部
513  内側第１接続部
515  接合縁
52  締め付けベルト
521  第２接続部
526  面ファスナーの雄面
６  膝用サポータ
61  サポータ本体
611  外側第１接続部
613  内側第１接続部
615  接合縁
62  締め付けベルト
621  第２接続部
626  面ファスナーの雄面
７  足首用サポータ
71  サポータ本体
711  外側第１接続部
713  内側第１接続部
715  接合縁
72  締め付けベルト
721  第２接続部
726  面ファスナーの雄面
８  利用者
81  体幹
811  腰
812  腹
813  胸
814  肩
82  首
83  腕
831  肘
84  脚
841  膝
842  足首
843  足
【要約】
【課題】サポータ本体と締め付けベルトとから構成される様々なサポータにおいて、サポータ本体と締め付けベルトとをそれぞれ個別に交換可能にする。
【解決手段】一部又は全部を患部又は患部の近傍に押圧又は圧接させるサポータ本体11と、サポータ本体11から特定方向に突出させ、患部を含む首、手足又は体幹に巻きつけてサポータ本体11を患部又は患部の近傍に位置固定させる締め付けベルト12とから構成されるサポータにおいて、サポータ本体11に対して締め付けベルト12を接続分離自在としたことを特徴とする。
【選択図】図１【図１】
0006821224.tif 000002
【図２】
0006821224.tif 000003
【図３】
0006821224.tif 000004
【図４】
0006821224.tif 000005
【図５】
0006821224.tif 000006
【図６】
0006821224.tif 000007
【図７】
0006821224.tif 000008
【図８】
0006821224.tif 000009
【図９】
0006821224.tif 000010
【図１０】
0006821224.tif 000011
【図１１】
0006821224.tif 000012
【図１２】
0006821224.tif 000013
【図１３】
0006821224.tif 000014
【図１４】
0006821224.tif 000015
【図１５】
0006821224.tif 000016
【図１６】
0006821224.tif 000017